(57)【特許請求の範囲】
【請求項１】
シリンダヘッドと、少なくとも１つのシリンダと、少なくとも１つの振動センサと、を備え、前記シリンダ内の振動を表す振動信号が、前記シリンダヘッドの外壁で、前記少なくとも１つの振動センサによって、クランクシャフト角の関数として連続的に得られる内燃機関において、ノッキング強度をリアルタイムで推定する方法であって、
前記シリンダヘッドを表す固体媒質内の波の伝播を記述する物理モデルから、前記シリンダヘッドの波動方程式モデルを構築するステップと、
推定器を使用して、前記波動方程式モデルのダイナミクスを反転させることにより、前記振動信号のフーリエ分解の係数をリアルタイムで求めるステップと、
フーリエ分解の前記係数の平方の和を求めることにより、前記信号に含まれているエネルギを計算するステップと、
前記エネルギの最大値の平方根に等しいパラメータであって、ノッキング強度と相関するパラメータをリアルタイムで推定するステップと、
を有することを特徴とする方法。
【請求項２】
前記振動センサは、前記シリンダの圧力センサ、または加速度センサである、請求項１に記載の方法。
【請求項３】
前記振動信号は複数の高調波を含み、燃焼と相関する一つまたは複数の前記高調波についてのみ、フーリエ分解の前記係数が推定される、請求項１または２に記載の方法。
【請求項４】
スペクトル解析または時間／周波数解析を実行することにより、あるいは５０００ヘルツから２００００ヘルツまでの周波数帯域を選択することにより、燃焼と相関する前記高調波が選択される、請求項３に記載の方法。
【請求項５】
燃焼に関連する振動応答の全体を含む角度範囲を求め、フーリエ分解の前記係数を決定する前に前記振動信号を前記角度範囲に限定する、請求項１から４のいずれか１項に記載の方法。
【請求項６】
前記推定器は適合型非線形推定器である、請求項１から５のいずれか１項に記載の方法。
【請求項７】
前記機関の燃焼を制御するために、機関パラメータを、請求項１から６のいずれか１項に記載の方法で推定し、前記ノッキング強度と相関する前記パラメータの関数として修正する、機関の燃焼の制御方法。
【発明の詳細な説明】
【技術分野】
【０００１】
本発明は内燃機関の燃焼制御の分野に関する。本発明は特に、機関内に設置されたセンサを用いてそのような機関のノッキング強度を推定する方法に関する。
【背景技術】
【０００２】
この種の機関は、シリンダの内部側壁とシリンダ内を滑動するピストンの頂部とシリンダヘッドとによって画定される燃焼室を含む、少なくとも一つのシリンダを備えている。一般に、燃料空気混合気はこの燃焼室内に充填され、圧縮ステップ、次いでプラグにより制御された点火作用による燃焼ステップを受けるが、以下の説明においては、これらのステップを一括して、「燃焼フェーズ」と言う用語で呼ぶ。
【０００３】
火花点火機関においては、通常、点火の後に空気／ガソリン混合気の燃焼が始まる。火炎前面が伝播し、火炎のブローにより混合気の一部が押し戻されて、シリンダの隔壁及びピストンの頂部に衝突する。圧力及び温度が著しく上昇し、その結果、隔壁に衝突した燃料は自己発火点に達し、複数の場所で自己着火する。この現象は「ノッキング」と呼ばれる。このようにノッキングはなによりもまず、点火が制御された火花点火機関内での異常燃焼現象であり、機関から発生する金属音により外部から検知することができる。ノッキングは燃焼室内での衝撃波の発生に起因するものである。
【０００４】
ノッキングに起因する微小爆発により、（５ＫＨｚから２０ＫＨｚ程度の）音響帯域内で振動が生じる。振動はきわめて激しく、高温箇所を急速に発生させ、問題をさらに増大させることがある。微小爆発の蓄積により、ピストン頂部及び／またはシリンダ壁、並びにリング上の少量の金属が剥離され、または溶解させられる。これにより、（強度によって異なるが）ある時間の経過後、ピストン、リングまたはシリンダ壁の破損が生じる。
【０００５】
ノッキング強度を推定することにより、ノッキングの影響を制限しシリンダを損傷させない燃焼制御が可能になる。
【０００６】
内燃機関のノッキングを推定するためのいくつかの方法が知られている。それらの方法はシリンダ圧力センサから出力される信号を記録することに基く。第一の方法は、ノッキングを推定するために、オフラインで、すなわち後の処理で、この信号にフーリエ変換の手法を適用することからなる。そのような方法は非特許文献１，２に記載されている。
【０００７】
第二の方法は、オフラインでノッキングを推定するために、フィルタリング及び最大値検出の手法を信号に適用することからなる。そのような方法は非特許文献３に記載されている。
【０００８】
最後に、同じくシリンダ圧力センサから出力される信号を記録することに基く別の方法が知られている。ここでは、オフラインでノッキングを推定するためにウェーブレット手法が信号に適用される。そのような方法は非特許文献４に記載されている。
【０００９】
しかしながらこれらの方法では、リアルタイムでノッキング強度の推定を行うことができない（コンピュータに取り込む場合には、通常、計算は５０マイクロ秒未満でおこなわれなければならない）。
【００１０】
特許文献１により、振動信号を基にしてノッキング強度をリアルタイムで推定する方法が知られている。この方法によれば、振動信号のフーリエ分解の係数をリアルタイムで求め、フーリエ分解のこれらの係数の平方の和を求めることにより、信号に含まれているエネルギを推定する。最後に、エネルギの最大値の平方根に等しい、ノッキング強度と相関するパラメータを求めることにより、ノッキング強度を推定する。
【先行技術文献】
【特許文献】
【００１１】
【特許文献１】仏国特許出願公開第２９４９５１１号明細書
【非特許文献】
【００１２】
【非特許文献１】Olivier BOUBAL，Jacques OKSMAN、“再配置された平準化疑似ウィグナー−ヴィレ分布のノッキング検出への適用（Application of the Reallocated Smoothed Pseudo Wigner-Ville Distribution to Knock Detection）”，信号処理（Traitement du Signal），１９９８年，第１５巻
【非特許文献２】C. Hudson，X. Gao，R. Stone，“火花点火機関の燃料評価のためのノッキングの測定（Knock measurement for fuel evaluation in spark ignition engines）”，燃料（Fuel），２００１年、第８０巻
【非特許文献３】G. Brecq，O. Le Carre，“ノッキング状態下でのシリンダ内圧力振動のモデル化−圧力包絡曲線への導入（Modeling of In-cylinder Pressure Oscillations under Knocking Conditions: Introduction to Pressure Envelope Curve）”，米国自動車技術会（ＳＡＥ），２００５年
【非特許文献４】Z. Zhang，E. Tomita，“ウェーブレット瞬間相関法を用いたノッキング検出（Knocking detection using wavelet instantaneous correlation method）”，ＳＡＥレビュージャーナル（Journal of SAE Review），２００２年，第２３巻
【発明の概要】
【発明が解決しようとする課題】
【００１３】
本発明の目的は、内燃機関内のノッキング強度をリアルタイムで求める、別の方法を提供することにある。この方法は機関の振動を表す振動信号の処理に基くものである。本発明により、振動源の振動信号を伝播させる波動を記述する波動方程式によりシリンダヘッドをモデル化し、次いでこの振動源の信号のフーリエ係数の推定に基き、機関の振動を表す特性（代表性）を向上させることができる。この推定は、燃焼を最もよく制御し機関を保護するよう、リアルタイムで行われる。
【課題を解決するための手段】
【００１４】
一般に本発明は、シリンダヘッドと、少なくとも１つのシリンダと、少なくとも１つの振動センサと、を備え、シリンダ内の振動を表す振動信号が、シリンダヘッドの出口で、少なくとも１つの振動センサによって、クランクシャフト角の関数として連続的に得られる内燃機関において、ノッキング強度をリアルタイムで推定する方法に関する。本方法は、
−固体媒質内の波の伝播を記述する物理モデルから、シリンダヘッドの波動方程式モデルを構築するステップと、
−推定器を使用して、波動方程式モデルのダイナミクスを反転させることにより(en inversant une dynamique)、振動信号のフーリエ分解の係数をリアルタイムで求めるステップと、
−フーリエ分解の係数の平方の和を求めることにより、信号に含まれているエネルギを計算するステップと、
−エネルギの最大値の平方根に等しくノッキング強度と相関するパラメータをリアルタイムで推定するステップと、を有している。
【００１５】
本発明によれば、振動信号は、シリンダの圧力センサから出力される信号、または加速度センサから出力される信号であってよい。
【００１６】
振動信号は複数の高調波を含んでいてよく、燃焼と相関する一つまたは複数の高調波についてのみ、フーリエ分解の係数が推定することができる。この場合、スペクトル解析または時間／周波数解析を実行することにより、あるいは５０００ヘルツから２００００ヘルツまでの周波数帯域を選択することにより、燃焼と相関する高調波を選択することができる。
【００１７】
一実施態様によれば、燃焼に関連する振動応答の全体を含む角度範囲を求め、フィルタリングを行う前に振動信号を角度範囲に限定する。
【００１８】
推定器は適合型非線形推定器とすることができる。
【００１９】
本発明によれば、機関の燃焼を制御するために、機関パラメータを、ノッキング強度と相関するパラメータの関数として修正することができる。
【００２０】
本発明による方法のその他の特徴及び長所は、以下に述べる、添付の図面を参照して行う非限定的な実施形態の説明を読むことにより明らかになろう。
【発明の効果】
【００２１】
本発明によれば、内燃機関内のノッキング強度をリアルタイムで求める、別の方法を提供することができる。
【図面の簡単な説明】
【００２２】
【図１】本発明による燃焼制御の原理を示す概略図である。
【図２】パラメータｌｃｌを用いてノッキング強度を推定する方法をステップに分解して示す機能概略図である。
【発明を実施するための形態】
【００２３】
本発明による方法は、ノッキング現象を考慮した内燃機関の燃焼制御方法に関する。本方法は、センサから出力される信号の処理に基づき、機関のノッキング強度を推定することを含んでおり、この信号は、燃焼の特徴及び可能性のあるノッキング発生の特徴を直接示すための物理的意味を有するものである。本方法は、燃焼特性及び使用するシリンダ圧力センサの技術には依存しない。
【００２４】
本発明を、単一のシリンダに適用される特定の一実施形態に従い、機関の燃焼モードに関連する個別的事項を含めずに説明する。本実施形態では、シリンダ圧力センサが用いられる。内燃機関の特性及び使用されるシリンダ圧力センサの技術は、本方法の原理に影響を及ぼさない。
【００２５】
図１は、本発明による制御方法の全体的な原理を示している。まず、シリンダ圧力センサ（Ａ）から出力されたシリンダ圧力信号（ｐ（ｔ））を取得する。この圧力信号は燃焼室（ＣＣ）内の燃焼に対応する。ノッキングの特徴を示す情報はこの信号のいくつかの高調波にしか含まれないことがわかっている。そこで、基本的な考え方として、この振動信号の種々の高調波をリアルタイムで計算し、次に、燃焼に相当する高調波を選択することとする。最後に、燃焼に関する情報を持つこれらの高調波を用いて、燃焼の特徴を直接示すノッキング強度（Ｉｃｌ）を、同じくリアルタイムで計算する（ＣＡＬ）。ノッキング強度（Ｉｃｌ）は、燃焼を制御するための機関パラメータの調節（ＣＴＲＬ）を可能にする。
【００２６】
図２に示すように、燃焼についての機関制御方法は以下の５つの主要なステップ、
ステップ１−燃焼の特徴を示す高調波の選択（ＳＬＣＴ）
ステップ２−シリンダ圧力センサから出力された信号の取得（ＡＣＱ）
ステップ３−振動信号の高調波のリアルタイムでの決定（ＥＤＰｅｓｔ）
ステップ４−燃焼の特徴を直接示すためのノッキング強度のリアルタイムでの決定（ＣＡＬ）
ステップ５−機関制御：燃焼を制御しノッキングを防ぐための機関パラメータの調節（ＣＴＲＬ）
に分解することができる。ステップ１は予備ステップであり、ステップ２−５はリアルタイムで行われる。
【００２７】
（ステップ１）燃焼の特徴を示す高調波の選択（ＳＬＣＴ）
シリンダ圧力信号（または加速度センサから出力された信号）などのあらゆる周期的振動量（または増加と減少が交互に現れる量）は、基本周波数の整数倍の周波数をもつ複数の正弦波成分の和とみなすことができる。基本周波数はベース周波数とも呼ばれ、考慮されている振動量の周期の逆数に等しい。高次周波数の波は、周波数が基本周波数の整数倍である正弦波成分である。これらの高次周波数の波は高調波と呼ばれる。
【００２８】
各高調波は、ノイズ、燃焼、噴射装置の打音、上死点へのピストンの戻り、ディストリビュータシステムによって生じる振動等の、一つまたは複数の情報を有する。
【００２９】
ここでの目的は、まず、これらの成分の中から、燃焼の特徴を示す情報を含む成分を選択することである。この作業はつまり、ノイズ現象を排除しつつ、シリンダ圧力センサから出力された信号から有効部分を抽出することである。
【００３０】
燃焼の特徴を示すことができる高調波を求めるには、２つの方法、すなわち時間／周波数解析またはスペクトル解析を用いることができる。これらの方法は、リアルタイムで機関の燃焼制御を行うことができる各ステップの実行に先立ち、試験の一環として、シリンダ圧力センサから出力される信号に対し適用される。
【００３１】
信号の時間／周波数解析は、当業者にはよく知られている高速フーリエ変換（ＦＦＴ）を各時間ステップ毎に行うスライドウインドーであると解釈することができる。この形態のフーリエ変換は短時間フーリエ変換としても知られており、時間−周波数平面におけるこの変換の表現方法はスペクトログラムによって与えられる。スペクトログラムとは、ある信号の周波数スペクトルをその信号の各タイミングｔに関連付けた線図である。その最も一般的な形式では、横軸が時間を表し、縦軸が周波数を表す。グラフの内側の各点には、ある所与の時点における特定の周波数の振幅（単位はデジベルの場合が多い）を表す、ある強さが付加されている。自動車業界の分野においては、時間軸は、クランクシャフト角の値に対応する角度軸に置き換えられるのが一般的である。そのようなスペクトログラム上では、角度軸上に燃焼の周期性が明確に現れる。この事象は、機関サイクル（その一部が燃焼に関連する）の間に発生する事象と同期する周期的現象に相当する。従来、内燃機関内に設置されたシリンダ圧力センサから出力される振動信号の解析を行った範囲内において、５ｋＨｚと２０ｋＨｚとの間のいくつかの周波数帯域内において、ある広がりをもった角度帯域を明らかに見出すことができる。実際、ノッキングを伴う信号とノッキングを伴わない信号との間には、数ｋＨｚ（最も多くの場合、７ｋＨｚから９ｋＨｚの間。そのため、５ｋＨｚから２０ｋＨｚの間でフィルタが展開される）の周波数帯におけるエネルギに関して、きわめて大きな差が認められる。この周波数は主にモデルの幾何学的形状に依存する。燃焼システムでいくつかの測定を行うことにより、この周波数を試験的に得ることができる。
【００３２】
このように、本方法によれば、燃焼の特性を示す当該周波数の帯域を５ｋＨｚから２０ｋＨｚの間に固定するか、例えば機関の種類に応じて、スペクトル解析を使用して適切な周波数帯を求めることができる。
【００３３】
以下の説明においては、ノッキング強度を推定するために５ｋＨｚから２０ｋＨｚの周波数帯域で作業を行うものとする。
【００３４】
信号のうち、選択された高調波（周波数成分）をωｋと記す。ここでｋ∈｛ｌ、ｎｋ｝である。整数ｎｈは、これらｎｋ個の高調波が５ｋＨｚから２０ｋＨｚの周波数帯域に属すように選択される。
【００３５】
ステップ２から５はリアルタイムで実行される。
【００３６】
（ステップ２）振動センサから出力された信号の取得（ＡＣＱ）
燃焼の制御方法は、燃焼の特徴及び可能性のあるノッキング発生の特徴を直接示すための物理的意味をもつ振動信号の処理に基いている。この信号はセンサ、すなわち本実施形態ではシリンダ圧力センサから連続的に送出される。このようにして信号を取得することは当業者には周知である。使用するシリンダ圧力センサの技術も本方法の原理に影響を及ぼさない。シリンダ圧力センサ（Ａ）が取得した信号をｐ（ｔ）とする。変数ｔは時間を表す。
【００３７】
シリンダ圧力センサから送出される信号ｐ（ｔ）は、一連の処理における２つの入力値の一つとなる。第二の信号α（ｔ）は時間の経過にともなうクランクシャフト角の値を示す信号である。クランクシャフト角をαとする。この信号は角度エンコーダ（ＥＮＣ）から送出される。
【００３８】
（ステップ３）振動信号の高調波のリアルタイムでの決定
ここでの目的は、まず、シリンダ圧力センサから出力された振動信号の全ての高調波成分、あるいは、少なくとも、ステップ１で選択された有効高調波成分をリアルタイムで推定することである。これらの成分をリアルタイムで再現するということは、例えばフーリエ分解により高調波成分を得る目的で信号を後で処理するために信号を連続的に記録することはしないことを意味する。これとは逆に、これらの成分は信号が測定されるのに応じて推定される。これを行うために、フーリエの偏微分方程式オブザーバを用いる。本方法は以下のステップ、
−信号の有効部分の抽出：振動信号の予備処理（ＰＲＥ）
−フーリエの偏微分方程式オブザーバによる高調波の推定（ＥＤＰｅｓｔ）
を含むことができる。
【００３９】
（信号の有効部分の抽出：振動信号の予備処理（ＰＲＥ））
シリンダ圧力センサから出力される信号を処理することは、一連の機関制御において最も重要な要素である。それはセンサが、燃焼のループ制御に利用することができる変数を送出するからである。第一のステップは、振動信号を、最大限の有効情報を引き出すように処理することを内容とする。振動信号から有効部分を抽出するためのこの予備処理（高調波及び燃焼パラメータの再現の前に行われる）は、以下のステップ、すなわち角度領域におけるｐ（ｔ）のサンプリングと、燃焼を含む角度ウインドーの決定と、を含むことができる。
【００４０】
（角度領域におけるｐ（ｔ）のサンプリング）
信号ｐ（ｔ）は角度領域内でサンプリングされる。そして、このサンプリングされた信号をｐ（α）とする。角度領域は時間領域とは異なり、全てのデータがクランクシャフト角の関数で表される領域である。このステップにより、全ての回転機械にとって不変の基準点のもとで作業を行うことが可能となる。角度領域で作業することの第二の意義は、点火進角が上死点（ＰＭＨ，ＴＤＣ）を基準とした角度で示されることに基づくもので、それにより燃焼の進角制御が容易になる。しかしながら、上死点などの角度領域内の基準原点を定義する角度エンコーダが良好に設定されていることを確認しなければならないことは明らかである。
【００４１】
（燃焼を含む角度ウインドー［α１；α２］の決定）
データ取得ボードにより信号ｐ（ｔ）が連続的に測定され、次いで角度領域に変換される（ｐ（α））。しかしながら、以後の処理は、角度α１，α２によって画定された角度範囲に対してのみ行うのが有利である。これらの２つのパラメータは、ノッキングのオブザーバ（本発明によるフーリエオブザーバ）」の較正要素の一部をなす。限界値α１，α２は燃焼の発生している角度範囲によって変わる。燃焼モードによっては燃焼の発生が早過ぎる（ＴＤＣより数度も前）こともあるし、逆に極端に遅くなる（ＴＤＣより２０度後）こともある。限界値α１，α２は、ある所与の機関に対し、機関の運転領域全体について燃焼の振動応答の全体を含むように選択する必要がある。これらの角度は基準原点を表す上死点を基準として定義される。従って、角度α１は負の符号を有し、α２は正の符号を有する。
【００４２】
要するにこの方法は、センサから出力される信号の所定の時間ウインドー上で、振動信号を処理することを提案するものであり、所定の時間ウインドーの位置は、機関のクランクシャフトの所定の角度位置に相当する。センサの信号は、この時間ウインドーまたは対応する角度ウインドー［α１；α２］の内部に、燃焼品質を評価するための燃焼パラメータを求めることができる、機関の振動挙動に関する情報を含んでいる。
【００４３】
（フーリエの偏微分方程式オブザーバによる高調波の推定（ＥＤＰｅｓｔ））
ｉ．シリンダヘッドを介した波動方程式モデルの構築
測定する信号は、シリンダ内の振動を表す振動信号である。この振動は機関のシリンダヘッドを通って伝播する。シリンダヘッドの出口で振動を測定し、シリンダヘッドに入る信号を再現することを試みる。シリンダヘッドを通過する際、金属内を波が伝播するために、この信号は変化する。そこで、シリンダヘッドに入る振動信号をシリンダヘッド上で測定される振動信号に変換することができるモデルを、シリンダヘッドの波動方程式モデルと呼ぶ。
【００４４】
このモデル及び測定値ｙ（ｐｆ（α）に等しい）から、信号ωの推定、すなわち機関から発生し、（燃焼に関する情報を含む）有効周波数を有する振動信号ｐ（α）の再現を行う。本発明による方法を行う際には、時間の経過によってほとんど変化せずリアルタイム推定を可能とするパラメータによって、この信号ωを特徴付ける。別の言い方をすれば、ある所与の時間において定数であるパラメータを使用して信号ωを定義する。これを行うために、信号ωが機械的な周期性を有しているという事実を利用する。こうして、大きく変化する信号ωを推定する代わりに、この信号のフーリエ分解の係数を推定することができる。信号の周期性に関連づけて信号ωを記述することが可能なあらゆるパラメータも、同様に用いることができる。
【００４５】
従って、説明をわかりやすくするために複素数展開される信号ωのフーリエ係数への分解は、以下のように記述することができる。
【００４６】
【数１】
0006053335.tif 000002
【００４７】
ｃｋは信号ωのフーリエ分解におけるフーリエ係数を表す。このようにして、時間の経過に対して不変なパラメータｃｋの関数として、振動信号を変換する信号が定義される。
【００４８】
媒質内の波の伝播方程式は、当業者に知られているとおり、以下のように記述することができる。
【００４９】
【数２】
0006053335.tif 000003
【００５０】
係数ａ，ｂ，ｑは媒質によって異なる。本発明によれば、シリンダヘッド、すなわち金属などの固体媒質を表す媒質に対して、これらのパラメータが選択される。
【００５１】
有限数の高調波しか用いず、かつ金属内の波の伝播方程式に基づく場合、シリンダヘッドの波動方程式モデルをリアルタイムで表すモデルは以下のように記述することができる。
【００５２】
【数３】
0006053335.tif 000004
【００５３】
本発明においては、信号ωのフーリエ分解におけるフーリエ係数（ｃｋ）を推定することが目的である。
【００５４】
（３）の方程式群はシリンダヘッドの波動方程式モデルを表している。これにより、時間の経過によってほとんど変化しないパラメータにより、信号ωを特徴づけることができる（ＲＥＣ）。
【００５５】
ｉｉ．フーリエ分解の係数のリアルタイムでの決定
これを行うために、推定器を使用して、波動方程式モデル（（３）の方程式群）を適合型非線形偏微分推定器に結合させることにより、このモデルのダイナミクスを反転(inverse la dynamique)させる。
【００５６】
所望されるのは、フィルタを通った測定値ｐｆ（α）から加速度信号の周期的励起を再現するために、「フーリエ偏微分方程式（ＥＤＰ）オブザーバ」と呼ばれる推定器を定義することである。このフィルタリングステップは、図２ではＦＩＬＴと記載している。そのために、超低周波及び超高周波を除去するためのバンドパスフィルタ（１ｋＨｚと１００ｋＨｚの間）を使用する。
【００５７】
（３）の方程式群で記述されるモデルから、ダイナミクスに関する項及び補正項を含む適合型非線形推定器を以下のように定義する。
【００５８】
【数４】
0006053335.tif 000005
【００５９】
パラメータΦ０（ｘ），Φ１（ｘ），Φｋ（α）の選択により推定器（オブザーバ）の収束を確保させる必要がある。そのため、まず以下の関数を定義する。
【００６０】
【数５】
0006053335.tif 000006
【００６１】
そして次に、
【００６２】
【数６】
0006053335.tif 000007
【００６３】
（４）の方程式群は、信号ωのフーリエ係数への分解における係数ｃｋを推定することを可能にする適合型非線形推定器を表している。
【００６４】
この方法により、係数ｃｋを介して励起ωの再現が確保される。再現される加速度信号ωハット（数式７中のωハットを意味する）は以下の関係式で与えられる。
【００６５】
【数７】
0006053335.tif 000008
【００６６】
（高調波の選択）
ステップ１で選択された高調波（ωｋ）を信号の再生のために使用する場合を考える。ｋは−ｎｈからｎｈの間で変化するため、燃焼の特徴を表す情報を有するｎｈ個の高調波を使用する。
【００６７】
しかし、より多数の高調波に基づいて励起を推定（ωハット）することもできる。事実、使用するフーリエ係数が多ければ多いほど、励起ωの再現は正確になる。従って、ステップ１で選択した高調波の数と異なる数（ｎｈ）の高調波を選択しても、本発明の範囲からは逸脱しない。その代り、励起ωを再現するために選択された高調波の数が多ければ多いほど計算時間が長くなることは明白である。従って、計算速度と精度との間でバランスをとる必要がある。
【００６８】
従って、ここでの目的は、適切なωｋを求めることと、適合するパラメータｎｋを求めること、すなわち信号の再現に必要な高調波の数を選択することである。この選択は種々の高調波のそれぞれのエネルギに依存する。一般に、最初の３つの高調波が、燃焼の特徴を示す上で最も有意であり、励起を再現するにはこの３つで十分である。ほとんどの場合、ｎｋ＝１が採用される。このようにして再現された信号をｐ（α）ハットとする。
【００６９】
（オブザーバの較正例）
表１に、フーリエのオブザーバの較正に必要なパラメータ値の例を示す。Ｎｃｙｌは機関のシリンダ数を示す。
【００７０】
【表１】
0006053335.tif 000009
【００７１】
（推定品質の確認（ＶＡＬ））
機関制御装置へパラメータが誤って送信されるのを防止するために、任意的なステップにより、振動信号の再現の適切さを検証することが可能である。この機能は、誤差信号（測定値と推定値の差）の平方に対するしきい値により実現される。
【００７２】
【数８】
0006053335.tif 000010
【００７３】
このしきい値εが過大で一定のしきい値Ｓを超えた場合、機関制御装置へのパラメータの送信は行われない（ＮＳ）。それ以外の場合、ステップ４（ＣＡＬ）を実行する。
【００７４】
（ステップ４：ノッキング強度を直接示すためのパラメータの決定（ＣＡＬ））
いったん振動信号の周波数成分の推定が検証されると、機関制御操作を行うことができる。燃焼の過渡的状態におけるループ制御には、サイクル毎の制御を実現するため、ノッキング強度と相関するパラメータのリアルタイム推定が必要である。
【００７５】
本方法の原理は、機関のシリンダ内のノッキング強度を特徴づけることが可能なｌｃｌと呼ばれるパラメータを、リアルタイムで推定することに基いている。
【００７６】
このパラメータの計算は、選択した高調波（スペクトル成分）に含まれるエネルギの解析に基くのが好ましい。エネルギＥ（α）は、周期的なオブザーバから送出されるフーリエ分解の最初のｎｈ個の係数の自乗の和を求めることにより、以下のように与えられる。
【００７７】
【数９】
0006053335.tif 000011
【００７８】
エネルギＥ（α）は燃焼中に放出されるエネルギとともに増加するので、このエネルギに基いて、パラメータｌｃｌに物理的意味が付与される。
【００７９】
例えば以下のようなパラメータを定義することができる。パラメータの値はノッキング強度を表している。
【００８０】
【数１０】
0006053335.tif 000012
【００８１】
（ステップ５：機関制御：（ＣＴＲＬ））
このパラメータｌｃｌに基き、閉ループ制御方策の実施が可能になる。この強度パラメータは、燃料特性の変動またはシリンダ毎のアンバランスを補償するために用いられる。例としてパラメータｌｃｌを基にした制御方策を示す。
【００８２】
（点火位相の制御）
点火位相は、燃焼効率及び汚染排出物の最適化において重要であることから、最も重要な要素である。このような明確なケースにおいては、機関の破損または劣化をもたらす強度を超えないための点火進角のループ制御を具現化するにあたり、ｌｃｌは理想的な候補である。
【００８３】
事実、点火が遅くなればなるほどノッキングが起きる可能性は高くなる。従って、トルクを適切に発生しつつ機関を損傷させないような基準レベルに向けてノッキングを制御するために、比例積分制御装置により点火進角を制御する。制御の基準値は、機関及びシリンダの幾何学的形状によって異なるため、実験的に求めることができる。
【００８４】
（変形実施形態）
シリンダ圧力センサを用いて本発明を説明したが、シリンダの振動と相関する信号を供給することができる他のあらゆるセンサを用いることも、本発明の範囲内にある。
【００８５】
例えば、加速度センサから出力された信号を用いることができる。事実、そのような信号は周期的な振動量に相当するので、周波数が基本周波数の整数倍である正弦波成分の和であるとみなすことができる。この加速度信号ａ（ｔ）は、燃焼と強く相関する機関ブロックの振動に相当する。
【００８６】
シリンダ圧力センサに対する処理と同じ処理を適用することにより、ｌｃｌを使用してノッキング強度を推定することができる。
【００８７】
（本発明の利点）
提案された方法は、従来の方法と異なり、リアルタイムでノッキング強度の推定を行うことができるという長所を有する。従って、１回の機関サイクルの終了時点でノッキングパラメータ（ｌｃｌ）を活用することができ、これにより、過去のサイクルの診断を行うことができる。この診断により、例えばノッキング強度が過大であると判断された場合には、次の燃焼の安定性を確保し、制御基準値に一致させるように、点火パラメータが変更される。信号の周波数解析は計算時間の観点から高コストであり、リアルタイム処理には不適当であることに留意されたい。これに対し、提案される方法は正確でかつ高速である。
【００８８】
さらに、本発明による方法は燃焼特性または使用するセンサの技術に依存しない。制御パラメータにより、様々な機関／センサ構成に対する本方法の良好な適合性が確保される。
【００８９】
シリンダヘッドを伝播する波の方程式モデルを用いることにより、本方法を従来の方法よりもさらに物理的現実に近いものとすることができる。
【符号の説明】
【００９０】
Ａ  シリンダ圧力センサ
ＣＣ  燃焼室
ＰＭＨ（ＴＤＣ）  上死点
ａ（ｔ）  加速度信号
ｃｋ  フーリエ係数（時間の経過に対して不変なパラメータ）
Ｅ（α）  エネルギ
Ｉｃｌ  ノッキング強度、パラメータ
ｎｈ  使用される高調波の数
ｐ（ｔ）  シリンダ圧力信号
ｐ（α） サンプリングされた信号
ｐｆ（α）  フィルタを通った測定値
α１，α２  角度ウインドーの限界値
ω  信号、励起
ωｋ  選択された高調波（周波数成分）
【図１】
0006053335.tif 000013
【図２】
0006053335.tif 000014